(57)【要約】【課題】  アクセサリが装置に装着されても、位置測位センサによる測位精度が低下しない位置測位機能内蔵装置を提供する。【解決手段】  アクセサリを筐体表面に装着させる装着部材と、測位衛星から測位信号を受信する位置測位センサと、位置測位センサを装着部材の隣接する筐体表面の内部に保持する保持部材と、装着部材にアクセサリが装着されると位置測位センサの向きまたは位置を位置測位センサの測位信号受信性能が装着部材に装着されたアクセサリの影響を受け難い所定の向きまたは位置に変える保持部材駆動部とを備えて、位置測位機能内蔵装置を構成した。【選択図】  図３
2011081076.tif 000002
【特許請求の範囲】
【請求項１】
アクセサリを筐体表面に装着させる装着部材と、
測位衛星から測位信号を受信する位置測位センサと、
前記位置測位センサを前記装着部材の隣接する前記筐体表面の内部に保持する保持部材と、
前記装着部材にアクセサリが装着されると前記位置測位センサの向きまたは位置を前記位置測位センサの測位信号受信性能が前記装着部材に装着されたアクセサリの影響を受け難い所定の向きまたは位置に変える保持部材駆動部とを備える位置測位機能内蔵装置。
【請求項２】
請求項１に記載の位置測位機能内蔵装置において、
前記保持部材駆動部は、前記装着部材に装着されるアクセサリの種類に応じて前記所定の向きまたは位置を変えることを特徴とする位置測位機能内蔵装置。
【請求項３】
請求項１に記載の位置測位機能内蔵装置において、
前記保持部材駆動部は、前記装着部材に装着されたアクセサリの設定姿勢に応じて前記所定の向きまたは位置を変えることを特徴とする位置測位機能内蔵装置。
【請求項４】
請求項１から請求項３のいずれか１項に記載の位置測位機能内蔵装置に、
被写体像を撮像する撮像部と、
前記筐体内に入射する被写体光を反射させて被写体像を正立像に変換してファインダに出射する、前記位置測位センサの下方に設けられた反射部材とを備えて構成されるカメラ。
【発明の詳細な説明】
【技術分野】
【０００１】
本発明は、位置測位機能内蔵装置およびカメラに関する。
【背景技術】
【０００２】
従来、例えば、特許文献１に開示されたＧＰＳ（Global Positioning System）機能付きカメラがある。このカメラでは、既存部品である金属製のホットシューにＧＰＳ人工衛星からの電波を受信するアンテナの機能を兼用させ、ホットシューで受信したＧＰＳ人工衛星からの電波に含まれる情報に基づいて、地球上での受信位置情報を演算している。
【先行技術文献】
【特許文献】
【０００３】
【特許文献１】特開２００６−１５４２７８号公報
【発明の概要】
【発明が解決しようとする課題】
【０００４】
しかしながら、上記従来のカメラは、ホットシューにアクセサリを装着すると、装着されたアクセサリの影響を受けてホットシューがＧＰＳ人工衛星からの電波を受信し難くなり、測位精度が低下する。
【課題を解決するための手段】
【０００５】
本発明はこのような課題を解決するためになされたもので、
請求項１に記載の位置測位機能内蔵装置は、
アクセサリを筐体表面に装着させる装着部材と、
測位衛星から測位信号を受信する位置測位センサと、
位置測位センサを装着部材の隣接する筐体表面の内部に保持する保持部材と、
装着部材にアクセサリが装着されると位置測位センサの向きまたは位置を位置測位センサの測位信号受信性能が装着部材に装着されたアクセサリの影響を受け難い所定の向きまたは位置に変える保持部材駆動部と
を備えることを特徴とする。
【発明の効果】
【０００６】
本発明によれば、アクセサリが装置に装着されても、位置測位センサによる測位精度は低下しなくなる。
【図面の簡単な説明】
【０００７】
【図１】本発明の一実施の形態によるデジタルカメラの筐体上方を構成するカメラ上カバー部の外観を示す斜視図である。
【図２】図１に示す発光部ユニット上カバーおよびアクセサリシューを２分する方向に切断したカメラ上カバー部の断面斜視図である。
【図３】図１に示す発光部ユニット上カバーおよびアクセサリシューを２分する方向に切断したカメラ上カバー部の断面図である。
【図４】図１に示すカメラ上カバー部を備えたデジタルカメラの電気回路構成の概略を示すブロック図である。
【図５】図４に示すデジタルカメラのＣＰＵによる撮影制御動作処理を示すフローチャートである。
【発明を実施するための形態】
【０００８】
本発明による位置測位機能内蔵装置をデジタルカメラに適用した場合における、本発明を実施するための一形態について説明する。
【０００９】
図１は、この一実施の形態によるデジタルカメラの筐体上方を構成するカメラ上カバー１部の外観を示す斜視図である。
【００１０】
撮影者がデジタルカメラを握る図示しないグリップ部の上方に位置するカメラ上カバー１の左側には、レリーズボタン２が設けられており、レリーズボタン２の周りには、デジタルカメラを起動させる電源スイッチ３が設けられている。電源スイッチ３のカメラ上カバー１中央寄りには、暗所での撮影で発光することでオートフォーカス（ＡＦ）のアシストを行う補助光発光部４が設けられている。また、電源スイッチ３の後方には測光モードボタン５と露出補正ボタン６が設けられている。測光モードボタン５は測光モードを設定する際に操作され、露出補正ボタン６は自動制御された適正露出値を変更する際に操作される。測光モードボタン５および露出補正ボタン６の後方には、デジタルカメラに現在設定されている撮影条件の状態やカメラ機能などが表示される液晶表示パネル７が設けられている。また、グリップ部と反対側の上方に位置するカメラ上カバー１の右側には、撮影モードを設定する撮影モードダイヤル８が設けられている。
【００１１】
液晶表示パネル７と撮影モードダイヤル８との間のカメラ上カバー１の上方には、デジタルカメラに内蔵された発光部ユニットを覆う発光部ユニット上カバー９が設けられ、発光部ユニット上カバー９の後方のカメラ上カバー１にはアクセサリシュー１１が設けられている。アクセサリシュー１１は、被写体を照明するスピードライトやリモート撮影ユニットなどのアクセサリをカメラ筐体表面に装着させる装着部材を構成しており、通常金属板により構成される。発光部ユニット上カバー９とアクセサリシュー１１との間には、カメラ上カバー１が露出してデジタルカメラの外観部材の一部を構成している。この部分のカメラ上カバー１および発光部ユニット上カバー９は、導電性を有しないプラスチックで形成されている。
【００１２】
図２は、図１に示す発光部ユニット上カバー９およびアクセサリシュー１１を２分する方向に切断したカメラ上カバー１部の断面斜視図、図３はその断面図である。なお、図２および図３において図１と同一部分には同一符号を付して、その説明は省略する。
【００１３】
発光部ユニット上カバー９と発光部ユニット下カバー１０との間には、被写体を照明する内蔵発光部２１が配置されており、これらは発光部ユニットを構成する。発光部ユニットは回動可能な状態でカメラ上カバー１に取り付けられており、必要に応じてポップアップする。また、発光部ユニット上カバー９およびアクセサリシュー１１の間に露出するカメラ上カバー１の下には、緩衝材２３を介してペンタプリズム２４が設けられている。このペンタプリズム２４と、発光部ユニット上カバー９およびアクセサリシュー１１の間に露出するカメラ上カバー１との間の空間には、ＧＰＳセンサ２５が設けられている。ペンタプリズム２４は、カメラ筐体内に入射する被写体光を反射させて被写体像を正立像に変換してファインダに出射する、ＧＰＳセンサ２５の下方に設けられた反射部材を構成する。ＧＰＳセンサ２５は、衛星軌道上の測位衛星であるＧＰＳ衛星から測位信号を受信する位置測位センサを構成する。なお、ペンタプリズム２４はペンタミラーによって構成してもよい。ＧＰＳセンサ２５は、断面がＬ字型をした薄板金属板２６の上面に配置されたフレキシブル基盤２７に搭載され、受信した測位信号をフレキシブル基盤２７を介して伝達する。ＧＰＳセンサ２５の上方のカメラ上カバー１は上述したように導電性を有しない部材で形成され、ＧＰＳセンサ２５の受信感度が向上させられている。薄板金属板２６は、導電性を有し、デジタルカメラ内で発生したノイズのＧＰＳセンサ２５への影響を遮断すると共に、ＧＰＳセンサ２５をカメラ上カバー１の内部に固定する。薄板金属板２６は、ＧＰＳセンサ２５をアクセサリシュー１１の隣接する筐体表面の内部、つまり、発光部ユニット上カバー９およびアクセサリシュー１１の間に露出するカメラ上カバー１表面の内部に保持する保持部材を構成する。なお、薄板金属板２６は、導電部材で構成されればよく、本実施形態のように金属薄板でなくてもよく、例えば、導電性プラスチックなどで形成されるものであってもよい。
【００１４】
図３に示したカメラ上カバー１の断面図における分図（ａ）は、アクセサリシュー１１にアクセサリが取り付けられていないときのＧＰＳセンサ２５の傾斜状態を表し、分図（ｂ）は、アクセサリシュー１１にアクセサリ２９が取り付けられたときのＧＰＳセンサ２５の傾斜状態を表している。
【００１５】
同図（ａ）に示すように、アクセサリシュー１１にアクセサリが取り付けられていない状態では、ＧＰＳセンサ２５の測位信号受信面２５ａは、ＧＰＳセンサ２５の受信状態が良好となるように天空方向に向けられている。このため、測位衛星からの測位信号を受信する受信感度の最も高い指向方向２８は、デジタルカメラの筐体に対して垂直方向となっている。同図（ｂ）に示すように、アクセサリシュー１１の後部からアクセサリ２９が挿入されて、アクセサリシュー１１にアクセサリ２９が取り付けられると、アクセサリ２９のシュー取付部によって連動レバー３０がカメラ上カバー１内部に押し込まれる。連動レバー３０がカメラ上カバー１内部に押し込まれると、薄板金属板２６は、カメラ上カバー１内に押し込まれた連動レバー３０により押されて、図示しないピンを中心に回動し、ＧＰＳセンサ２５を前方に傾斜させる。このため、ＧＰＳセンサ２５の測位信号受信面２５ａが斜め前方の天空方向を向くこととなり、指向方向２８は、デジタルカメラの筐体に対して斜め前方方向となり、最適な受信角度になる。
【００１６】
連動レバー３０は、アクセサリシュー１１にアクセサリ２９が装着されると、ＧＰＳセンサ２５の向きをＧＰＳセンサ２５の測位信号受信性能がアクセサリシュー１１に装着されたアクセサリ２９の影響を受け難い所定の向きに変える保持部材駆動部を構成する。ＧＰＳセンサ２５の傾斜量は、連動レバー３０がカメラ上カバー１内に押し込まれて移動する移動量によって異なる。この連動レバー３０の移動量は、アクセサリ２９のシュー取付部に設けられる、連動レバー３０と嵌合する図示しない凹部の嵌合深さが、アクセサリ２９の種類毎に設定されることにより、調節される。従って、連動レバー３０は、アクセサリシュー１１に装着されるアクセサリ２９の種類に応じて、アクセサリシュー１１に装着されたアクセサリ２９の影響を受け難い所定の向きを変える。
【００１７】
図４は、本実施形態のデジタルカメラの電気回路の構成を示したブロック図である。
【００１８】
デジタルカメラは、ＣＰＵ（Central Processing Unit）３１を備えている。このＣＰＵ３１は、不揮発性メモリ３２に格納されている制御プログラムに従い、バッファメモリ３３を一時記憶作業領域として、デジタルカメラ内部の各回路について種々の制御処理を行う。
【００１９】
撮影レンズ３４によってカメラ内部に導かれた被写体光は、撮像素子３５の受光面に入射する。撮像素子３５は、撮像部を構成しており、ＣＣＤ（Charge Coupled Device）やＣＭＯＳ（Complementary Metal Oxide Semiconductor）などからなり、受光面に入射する被写体光を電荷として蓄積して被写体像を撮像する。位置測位機能内蔵装置を構成する本実施形態によるデジタルカメラは、装着部材を構成するアクセサリシュー１１、位置測位センサを構成するＧＰＳセンサ２５、保持部材を構成する薄板金属板２６、および保持部材駆動部を構成する連動レバー３０に加え、撮像部を構成する撮像素子３５、および反射部材を構成する上述したペンタプリズム２４を備えている。
【００２０】
ＣＰＵ３１は、撮像素子３５に被写体像が撮像される際、ピント調整装置３６を作動させてＡＦ機能を働かせる。ピント調整装置３６は、例えば、撮像素子３５の受光面上に投影される被写体像のコントラストが最も高くなるように撮影レンズ３４の位置を移動させ、焦点を自動調整する。撮像素子３５の受光面に結像した被写体像はアナログの撮像信号に変換され、この撮像信号は、ＴＧ（Timing Generator）３７によって生成されるタイミングに従ってＡ／Ｄ（Analog／Digital）変換回路３８に入力される。Ａ／Ｄ変換回路３８は、撮像素子３５が出力したアナログの撮像信号をデジタル信号に変換する。
【００２１】
Ａ／Ｄ変換回路３８で変換されたデジタルの撮像信号は、画像処理ブロック３９内の画像処理回路４０によってイメージメモリ４１に一時的に記憶される。画像処理回路４０は、イメージメモリ４１に記憶された撮像信号を読み出し、読み出したデジタルの撮像信号に対してホワイトバランス処理やガンマ補正などの画像処理を行って現像画像データを生成し、圧縮回路４２へ出力する。圧縮回路４２は、画像処理回路４０から入力した現像画像データを所定の比率で圧縮する圧縮処理を行い、ＪＰＥＧ（Joint Photographic Experts Group）等の圧縮画像データを生成する。圧縮処理された画像データは、バッファメモリ３３に一時的に格納される。バッファメモリ３３に格納された圧縮画像データは、図示しないカードスロットに着脱される不揮発性メモリからなるカード状の記録媒体４３に保存される。また、表示回路４４に出力されて、デジタルカメラの背面に備えられたＴＦＴ（Thin Film Transistor）液晶からなる背面モニタ４５に画像として表示される。この背面モニタ４５には、各種の設定メニュー画面やＧＰＳセンサ２５の受信状態なども表示される。画像処理ブロック３９は、圧縮画像データを記録媒体４３に保存すると、ＣＰＵ３１へ撮影終了信号を送出する。
【００２２】
ＣＰＵ３１には、ＬＣＤ（Liquid Crystal Display）からなる液晶表示パネル７が接続されている。この液晶表示パネル７は、ＣＰＵ３１の制御により、現在デジタルカメラに設定されている撮影条件、例えば、シャッタースピードや絞り値等を表示する。ＣＰＵ３１は、撮影終了信号を画像処理ブロック３９から入力すると、液晶表示パネル７に表示させる撮影可能コマ数を１つ減らし、撮影コマ数を１つ増やす信号を液晶表示パネル７へ送出し、液晶表示パネル７の表示内容を更新する。
【００２３】
また、ＣＰＵ３１には上述したＧＰＳセンサ２５が接続されている。このＧＰＳセンサ２５は、測位信号受信面２５ａで受信したＧＰＳ衛星からの測位信号をフレキシブル基盤２７を経由してＣＰＵ３１へ出力する。ＣＰＵ３１は、この測位信号に基づいて、デジタルカメラの位置を測位し、撮影位置の緯度、経度、および高度などを算出する。算出された測位情報は、ＣＰＵ３１により、画像処理ブロック３９へ送信されて、撮像素子３５によって撮像された各画像のＥｘｉｆ（Exchangeable image file format）形式の画像ファイルにおけるヘッダ領域に記録され、記録媒体４３に保存される。なお、記録媒体４３に保存される前に測位情報が消失しないよう、二次電池などで構成される内蔵電池をＧＰＳバックアップ用として備えるようにしてもよい。
【００２４】
また、ＣＰＵ３１には、操作部材４６が接続されている。操作部材４６は、デジタルカメラのレリーズボタン２や電源スイッチ３、測光モードボタン５、露出補正ボタン６、撮影モードダイヤル８などである。ＣＰＵ３１は、操作部材４６から出力される信号に基づいた制御処理を行う。
【００２５】
次に、図５に示すフローチャートを参照して、ＣＰＵ３１の撮影制御動作処理について説明する。
【００２６】
Ｓ１において、ＣＰＵ３１は、電源スイッチ３が操作されてデジタルカメラの電源がオンにされたか否かを、判定する。電源スイッチ３が操作されていなくてデジタルカメラの電源がオフの状態であり、Ｓ１の判定結果が“Ｎｏ”であった場合、ＣＰＵ３１は、処理を終了する。
【００２７】
一方、電源スイッチ３が操作されてデジタルカメラの電源がオンになり、Ｓ１の判定結果が“Ｙｅｓ”であった場合、ＣＰＵ３１は、Ｓ２において、現在のデジタルカメラの設定状態などを初期画面として液晶表示パネル７に表示させる。続いて、ＣＰＵ３１は、Ｓ３において、レリーズボタン２が半押しされてデジタルカメラのＳＷ１がオンになったか否かを、判定する。レリーズボタン２が半押しされていなくてデジタルカメラのＳＷ１がオフの状態であり、Ｓ３の判定結果が“Ｎｏ”であった場合、ＣＰＵ３１は、Ｓ２の処理に戻る。
【００２８】
一方、レリーズボタン２が半押しされてＳＷ１がオンになり、Ｓ３の判定結果が“Ｙｅｓ”であった場合、ＣＰＵ３１は、Ｓ４において、被写体光を測光し、測光結果に応じて被写体像を露光させる露光条件を演算する。続いて、ＣＰＵ３１は、Ｓ５において、ピント調整装置３６を制御し、撮影レンズ３４を移動させて撮像素子３５に撮像される被写体像の焦点を合わせる焦点調節を行う。次に、ＣＰＵ１１は、Ｓ６において、ＧＰＳセンサ２５から出力される測位信号を取得し、Ｓ７において、撮影位置を算出する。次に、ＣＰＵ３１は、Ｓ８において、レリーズボタン２が全押しされてデジタルカメラのＳＷ２がオンになったか否かを、判定する。レリーズボタン２が全押しされていなくてデジタルカメラのＳＷ２がオフの状態であり、Ｓ８の判定結果が“Ｎｏ”であった場合、ＣＰＵ３１は、Ｓ４の処理に戻る。
【００２９】
一方、レリーズボタン２が全押しされてＳＷ２がオンになり、Ｓ８の判定結果が“Ｙｅｓ”であった場合、Ｓ９において、ＣＰＵ３１によりレリーズ動作が行われ、撮像素子３５によって被写体像が撮影されて撮影画像が記録媒体４３に記録される。この際、Ｓ７で算出された撮影位置が撮影画像のヘッダ領域に記録される。次に、ＣＰＵ３１は、Ｓ１０において、電源スイッチ３が操作されてデジタルカメラの電源がオフにされたか否かを、判定する。電源スイッチ３が操作されていなくてデジタルカメラの電源スイッチ３がオンの状態であり、Ｓ１０の判定結果が“Ｎｏ”であった場合、ＣＰＵ３１は、Ｓ３の処理に戻る。一方、電源スイッチ３が操作されてデジタルカメラの電源スイッチ３がオフになり、Ｓ１０の判定結果が“Ｙｅｓ”であった場合、ＣＰＵ３１は、Ｓ１１において、デジタルカメラの電源をオフにして所定の終了処理をする。
【００３０】
なお、ＧＰＳセンサ２５がＧＰＳ衛星から測位信号を受信することができず、Ｓ６のタイミングで、ＣＰＵ１１がＧＰＳセンサ２５から出力される測位信号を取得することができなかった場合には、Ｓ９において、撮影位置の情報を記録せずに撮影画像だけを記録媒体４３に保存するようにしてもよいし、ＧＰＳセンサ２５が以前にＧＰＳ衛星から受信した測位信号を使用するようにしてもよい。また、ＣＰＵ１１は、Ｓ６のタイミングに限らず、任意の他のタイミングでＧＰＳセンサ２５から出力される測位信号を取得するようにしてもよい。
【００３１】
このような本実施形態のデジタルカメラによれば、デジタルカメラ筐体の内部に薄板金属板２６によって保持されたＧＰＳセンサ２５の向きは、ＧＰＳセンサ２５の上方のカメラ上カバー１表面に隣接して設けられたアクセサリシュー１１にアクセサリ２９が装着されると、連動レバー３０により、ＧＰＳセンサ２５の測位信号受信性能がアクセサリシュー１１に装着されたアクセサリ２９の影響を受け難い所定の向きに変えられる。このため、デジタルカメラにアクセサリ２９が装着され、アクセサリ２９によってＧＰＳセンサ２５の測位信号受信方向が遮られても、ＧＰＳセンサ２５は、測位に必要な測位信号をＧＰＳ衛星から受信することができ、デジタルカメラは、撮像素子３５によって撮像される画像に付与する位置情報の測位精度が低下しなくなり、正確な位置情報の記録が可能になる。
【００３２】
また、本実施形態のデジタルカメラによれば、アクセサリシュー１１がペンタプリズム２４の上方に設けられるため、デッドスペースとなりがちなペンタプリズム２４上方でカメラ上カバー１下方のカメラ筐体内の空間を有効活用することができる。また、本実施形態のデジタルカメラによれば、ＧＰＳセンサ２５下部に薄板金属板２６を配置し、測位精度に影響のあるデジタルカメラ内部からのノイズを遮断することで、ＧＰＳ衛星の安定した補足を確保することが可能となる。
【００３３】
また、本実施形態のデジタルカメラによれば、連動レバー３０によって変えられるＧＰＳセンサ２５の所定の向きは、アクセサリシュー１１に装着されるアクセサリ２９の種類に応じて変えられる。このため、ＧＰＳセンサ２５は、アクセサリシュー１１に装着されるアクセサリ２９の種類にかかわらず、ＧＰＳ衛星から測位に必要な測位信号を受信することができて、デジタルカメラの測位精度が維持される。
【００３４】
なお、上記実施形態では、内蔵発光部２１からなる発光部ユニットをデジタルカメラに内蔵し、ＧＰＳセンサ２５をアクセサリシュー１１の前方かつ内蔵発光部２１の後方かつ、ペンタプリズム２４の上方位置に配置した場合について説明したが、発光部ユニットをデジタルカメラに内蔵しない場合には、ＧＰＳセンサ２５をアクセサリシュー１１の前方かつペンタプリズム２４の上方位置に配置して構成する。この構成においても上記実施形態と同様の作用・効果が奏される。
【００３５】
また、上記実施形態では、カメラ上カバー１の材質を非導電性のプラスチックとした場合について説明したが、カメラ上カバー１の材質をマグネシウム等の金属性の材質とした場合には、ＧＰＳセンサ２５の上方に位置するカメラ上カバー１部分のみを非導電性部材を用いて形成する。また、カメラ上カバー１の材質を非導電性のプラスチックとし、その内側に金属メッキを施す場合には、ＧＰＳセンサ２５の上方に位置するカメラ上カバー１部分のみに金属メッキを施さないようにする。また、ノイズの発信源となり得る内蔵発光部２１のＧＰＳセンサ２５側、もしくはＧＰＳセンサ２５の内蔵発光部２１側に、導電性部材を配置することで、内蔵発光部２１からのノイズを遮断することができる。このような各構成によれば、ＧＰＳ衛星から測位に必要な測位信号が遮断されずに受信することができ、上記実施形態と同様の作用・効果が奏される。
【００３６】
また、上記実施形態では、ＧＰＳセンサ２５の向きを、ＧＰＳセンサ２５の測位信号受信性能がアクセサリシュー１１に装着されたアクセサリ２９の影響を受け難い所定の向きに変える構成としたが、本発明はこれに限られることはない。例えば、アクセサリ２９の形状によっては、アクセサリシュー１１にアクセサリ２９が装着されると、ＧＰＳセンサ２５の位置を、ＧＰＳセンサ２５の測位信号受信性能がアクセサリシュー１１に装着されたアクセサリ２９の影響を受け難い所定の位置に変えるよう、ＧＰＳセンサ２５を前方や横方向にスライドさせる構成にしてもよい。この構成においても上記実施形態と同様の作用・効果が奏される。
【００３７】
また、上記実施形態では、連動レバー３０が押し込まれて薄板金属板２６を回動させることによってＧＰＳセンサ２５を所定の向きに変える構成としたが、本発明はこれに限られることはない。例えば、保持部材駆動部を連動レバー３０ではなくモータで構成し、ＣＰＵ３１が、アクセサリシュー１１にアクセサリ２９が装着されたことを検出すると、モータを駆動させて薄板金属板２６をアクセサリ２９の種類に応じた角度または位置に駆動し、ＧＰＳセンサ２５を所定の向きまたは位置に変える構成にしてもよい。この構成においても上記実施形態と同様の作用・効果が奏される。
【００３８】
また、保持部材駆動部をモータで構成する場合において、ＣＰＵ３１が、ＧＰＳセンサ２５の変更する所定の向きまたは位置をアクセサリ２９の種類に応じて記憶したアクセサリテーブルを参照し、テーブルに格納された所定の向きまたは位置となるようにモータを駆動させ、薄板金属板２６などを回動または移動させて、ＧＰＳセンサ２５を所定の向きまたは位置に変えるようにしてもよい。この構成によれば、アクセサリシュー１１にアクセサリ２９が装着される毎に、モータで薄板金属板２６などを回動または移動させる量および向きをＣＰＵ３１に算出させずにすむ。
【００３９】
また、上記実施形態および変形例では、アクセサリシュー１１に装着されたアクセサリの種類に応じてＧＰＳセンサ２５を所定の向きまたは位置に変える構成としたが、本発明はこれに限られることはない。例えば、アクセサリシュー１１に装着されたアクセサリの設定姿勢に応じて、ＧＰＳセンサ２５を所定の向きまたは位置に変えるように構成してもよい。例えば、保持部材駆動部をモータで構成し、バウンス角の変更が可能なスピードライトをアクセサリ２９としてアクセサリシュー１１に装着させた場合、ＣＰＵ１１によってスピードライトからバウンス信号を受信し、バウンス信号から検出されるバウンス角に応じてモータを駆動させることにより、薄板金属板２６などを回動または移動させて、ＧＰＳセンサ２５をスピードライトのバウンス角に追従して駆動させるようにしてもよい。この構成によれば、保持部材駆動部によって変えられるＧＰＳセンサ２５の所定の向きまたは位置は、アクセサリシュー１１に装着されたアクセサリ２９の設定姿勢に応じて変えられる。このため、ＧＰＳセンサ２５は、装着されたアクセサリ２９の設定姿勢にかかわらず、ＧＰＳ衛星から測位に必要な測位信号を受信することができて、デジタルカメラの測位精度が維持される。
【００４０】
また、上記実施形態および変形例では、アクセサリシュー１１に装着されるアクセサリ２９の種類に応じてＧＰＳセンサ２５を所定の向きまたは位置に変える構成としたが、本発明はこれに限られることはない。例えば、デジタルカメラに加速度センサを備えてデジタルカメラの姿勢を検出し、アクセサリシュー１１に装着されるアクセサリ２９の種類とデジタルカメラの姿勢とを考慮して、ＧＰＳセンサ２５を所定の向きまたは位置に変える構成としてもよい。この構成によれば、ＧＰＳセンサ２５の向きまたは位置が、アクセサリ２９の種類に加えてデジタルカメラの姿勢も考慮されて測位信号受信面２５ａが天空方向に近づけられるため、ＧＰＳセンサ２５の受信感度をより向上させることができる。
【００４１】
また、上記実施形態では、ＧＰＳセンサ２５の受信状態を背面モニタ４５に表示させる場合について説明したが、本発明はこれに限られることはない。例えば、カメラ筐体にＬＥＤ（発光ダイオード）を設けて、ＧＰＳ衛星から測位信号が受信できていない状態を赤色の点灯で表し、ＧＰＳ衛星の補足数が少なくてＧＰＳ衛星から測位信号が十分に受信できていない状態を緑色の点滅で表し、ＧＰＳ衛星から測位信号が十分に受信できている状態を緑色の点灯で表するようにしてもよい。また、ＧＰＳセンサ２５の受信状態を液晶表示パネル７に表示させるようにしてもよい。
【００４２】
また、上記実施形態では、本発明による位置測位機能内蔵装置をデジタルカメラに適用した場合について説明したが、本発明はこれに限られることはない。例えば、撮像素子３５といった撮影部およびペンタプリズム２４といった反射部材を備えていないカメラ以外の位置測位機能内蔵装置に本発明を適用してもよい。このような装置によっても、上記実施形態と同様な作用・効果が奏される。
【００４３】
すなわち、本発明は、
アクセサリを筐体表面に装着させる装着部材と、
測位衛星から測位信号を受信する位置測位センサと、
位置測位センサを装着部材の隣接する筐体表面の内部に保持する保持部材と、
装着部材にアクセサリが装着されると位置測位センサの向きまたは位置を位置測位センサの測位信号受信性能が装着部材に装着されたアクセサリの影響を受け難い所定の向きまたは位置に変える保持部材駆動部と
を備えた位置測位機能内蔵装置に適用することができる。
【００４４】
この構成による位置測位機能内蔵装置によれば、装着部材にアクセサリが装着されると、保持部材駆動部により、位置測位センサの向きまたは位置が、位置測位センサの測位信号受信性能が装着部材に装着されたアクセサリの影響を受け難い所定の向きまたは位置に変えられる。このため、位置測位センサは、装置にアクセサリが装着されても、測位に必要な測位信号を測位衛星から受信することができ、装置の測位精度は低下しなくなる。
【００４５】
また、上記の位置測位機能内蔵装置は、保持部材駆動部が、装着部材に装着されるアクセサリの種類に応じて所定の向きまたは位置を変える構成にしてもよい。
【００４６】
本構成によれば、保持部材駆動部によって変えられる位置測位センサの所定の向きまたは位置は、装着部材に装着されるアクセサリの種類に応じて変えられる。このため、位置測位センサは、装着部材に装着されるアクセサリの種類にかかわらず、測位衛星から測位に必要な測位信号を受信することができて、装置の測位精度が維持される。
【００４７】
また、上記の位置測位機能内蔵装置は、保持部材駆動部が、装着部材に装着されたアクセサリの設定姿勢に応じて所定の向きまたは位置を変える構成にしてもよい。
【００４８】
本構成によれば、保持部材駆動部によって変えられる位置測位センサの所定の向きまたは位置は、装着部材に装着されたアクセサリの設定姿勢に応じて変えられる。このため、位置測位センサは、装着されたアクセサリの設定姿勢にかかわらず、測位衛星から測位に必要な測位信号を受信することができて、装置の測位精度が維持される。
【符号の説明】
【００４９】
１…カメラ上カバー
１１…アクセサリシュー
２４…ペンタプリズム
２５…ＧＰＳセンサ
２５ａ…測位信号受信面
２６…薄板金属板
２９…アクセサリ
３０…連動レバー
３５…撮像素子
【図１】
2011081076.tif 000003
【図２】
2011081076.tif 000004
【図３】
2011081076.tif 000005
【図４】
2011081076.tif 000006
【図５】
2011081076.tif 000007